(57)【要約】【課題】自動化ラインに好適で、しかも光学部品の光学領域面を保護することが可能な光学部品梱包用テープを提供する。【解決手段】長手方向に対して等間隔に光学部品１０を収納する収納部３を有するキャリアテープ２と、キャリアテープ２を被覆するカバーテープ５と、収納部３内に収納した光学部品１０が遊動しないように保持する粘着剤６とを備えるようにした。これにより光学部品１０を自動マウンタにより搭載することが可能になる。また収納部３に収納した光学部品が遊動しないように粘着剤６により保持しているため、搬送時に光学部品１０がエンボスキャリアテープ２などの梱包部材に接触することがないので、光学部品１０の角部の破損を防止でき。これにより、破損により発生する光学部品のカケや削りくずが光学部品の光学領域面に付着して光学特性が劣化するといったことがない。【選択図】図１
2007276843.tif 000002
【特許請求の範囲】
【請求項１】
長手方向に光学部品を収納する収納部が等間隔に形成されたキャリアテープと、
前記キャリアテープを被覆するカバーテープと、
前記光学部品の非光学領域を保持する保持部材と、
を備えたことを特徴とする光学部品梱包用テープ。
【請求項２】
前記保持部材を前記収納部の内部底面側に設けたことを特徴とする請求項１に記載の光
学部品梱包用テープ。
【請求項３】
前記収納部の底面に凹陥部を形成し、前記凹陥部の外縁に前記保持部材を設けたことを
特徴とする請求項１に記載の光学部品梱包用テープ。
【請求項４】
前記収納部の底面に傾斜面を形成し、前記傾斜面上に前記保持部材を設けたことを特徴
とする請求項１に記載の光学部品梱包用テープ。
【請求項５】
前記保持部材として、前記収納部の内部底面に第１の粘着剤を備えると共に、前記カバ
ーテープに前記第１の粘着剤より粘着力が小さい第２の粘着剤を備えたことを特徴とする
請求項１に記載の光学部品梱包用テープ。
【請求項６】
前記保持部材として特定の条件により剥離する接着剤を前記カバーテープ側に設けたこ
とを特徴とする請求項１に記載の光学部品梱包用テープ。
【請求項７】
前記光学部品の光学領域面が前記収納部の壁面に対して平行に収納したことを特徴とす
る請求項１に記載の光学部品梱包用テープ。
【請求項８】
前記キャリアテープの前記収納部間にリブを設けたことを特徴とする請求項１乃至請求
項７の何れか１項に記載の光学部品梱包用テープ。
【請求項９】
長手方向に光学部品を収納する収納部と平面部とが交互に形成された第１及び第２のキ
ャリアテープと、
前記収納部の内部底面に設けられ、前記光学部品の非光学領域を保持する保持部材と、
を備え、
前記第１のキャリアテープの収納部を前記第２のキャリアテープの平面部により被覆し
、前記第２のキャリアテープの収納部を前記第１のキャリアテープの平面部により被覆す
るようにしたことを特徴とする光学部品梱包用テープ。
【発明の詳細な説明】
【技術分野】
【０００１】
本発明は光学部品を梱包するのに好適な光学部品梱包用テープに関わり、特に光学部品
を自動化ラインにより実装する際に好適なものである。
【背景技術】
【０００２】
デジタルカメラに用いられる光学ローパスフィルタ（Optical Low Pass Filter：以下
「ＯＬＰＦ」という）や光ピックアップ装置に用いられる波長板などの光学部品の梱包形
態はトレイタイプの梱包ケースが一般的である。
例えば、特許文献１、２には、安価で保守メンテナンスと再利用が容易な光学デバイス
用梱包ケースが開示されている。また特許文献３には、光学用フィルタの角部からの破損
による不良を軽減し、製造工程でも客先への出荷にも共用できる光学フィルタを収納する
搬送トレイが開示されている。
【０００３】
しかしながら、これらのトレイに光学部品を梱包し、次工程に搬送したり、客先へ出荷
納入したりする場合、搬送の際に、トレイに収納された光学部品が遊動し、収納部の側壁
に接触する。これにより、光学部品の角部が破損し、そのときに発生するカケや削りくず
が光学領域面に付着して、光学部品の光学特性、例えば透過特性が著しく劣化するという
問題点があった。
特に、一眼レフ型デジタルカメラに用いられるＯＬＰＦにおいては、ＣＣＤ（Charge C
oupled Device）やＣＭＯＳ（Complementary Metal Oxide Semiconductor）等の固体撮像
素子の高画素化に伴って、ＯＬＰＦの光学面に求められる品質レベル（クリーン度）が極
めて厳しいものとなっている。なぜならば、ＯＬＰＦの光学領域面にゴミが付着すると、
ＯＬＰＦの後方に配置された撮像素子において、ＯＬＰＦのゴミ付着箇所の撮像素子への
投影領域は光が遮られて透過しないので、結果として撮像素子から取り込める画像情報の
低下を招き解像度が悪化するという問題が生じるからである。
【０００４】
そこで、前述したようなゴミ発生を防ぐことを目的として、端部（角部）に面取り加工
を施して、搬送時に遊動して光学部品が収納部の側壁に接触した場合でも角部のカケや削
りくずが発生するのを防止するようにした光学部品が各種提案されている。
例えば特許文献４には、光学フィルタに発生する光学的異物を抑制できる高品質な光学
フィルタとして、水晶複屈折板の主面の周囲に曲率面取り部を形成すると共に、周面側の
面取り量が側面側の面取り量より小さくした光学フィルタが開示されている。また特許文
献５には、光学基板の外周端面を円弧や楕円弧を含む曲面形状としたことを光学基板が開
示されている。
【特許文献１】特開２００３−２００９９１公報
【特許文献２】特開２００２−３７０７８０公報
【特許文献３】特開平１１−１３０１７５号公報
【特許文献４】ＷＯ２００３／０４４５７３
【特許文献５】特開２００４−１４８４６０公報
【発明の開示】
【発明が解決しようとする課題】
【０００５】
しかしながら、ＯＬＰＦ等の光学部品の端部（角部）に面取り加工を施す場合は、その
製造工程において面取り工程を追加することが必要になるため、製造コストが高くなり、
結果としてＯＬＰＦ等の光学部品の単価が上昇するという問題点があった。
また、ＯＬＰＦをデジタルカメラに用いる場合は、ＯＬＰＦと撮像素子とをアセンブル
した後、デジタルカメラに搭載することになるが、近年、撮像素子とＯＬＰＦとをアセン
ブルするアセンブル工程、及びアセンブルした部品をデジタルカメラに実装する工程を自
動化したいという要望が高まっている。
【０００６】
しかしながら、従来のトレイ梱包では、作業者自身がトレイからＯＬＰＦを取り出し、
目視による品質検査を行った後、撮像素子とのアセンブル工程用の収納マガジンやトレイ
ケースに移載するといった煩雑な作業が必要になるという問題点があった。
本発明は、上記したような点を鑑みてなされたものであり、電子部品の実装自動化ライ
ンに好適で、しかもＯＬＰＦ等の光学部品の光学領域面を保護することが可能な光学部品
梱包用テープを提供することを目的とする。
【課題を解決するための手段】
【０００７】
上記目的を達成するため、本発明の光学部品梱包用テープは、長手方向に光学部品を収
納する収納部が等間隔に形成されたキャリアテープと、キャリアテープを被覆するカバー
テープと、収納部内に収納した光学部品が遊動して収納部の内壁面に接触しないように光
学部品の非光学領域を保持する保持部材とを備るようにした。
従って、本発明の光学部品梱包用テープを用いて光学部品を梱包すれば、光学部品を自
動マウンタにより搭載することが可能になる。
また本発明においては、収納部に収納した光学部品が遊動しないように保持部材により
光学部品の非光学領域を保持するようにしているため、搬送時に光学部品がキャリアテー
プに接触しないので、光学部品の角部が破損するのを防止することができる。よって、破
損により発生する光学部品のカケや削りくずが光学部品の光学領域面に付着して光学特性
を劣化させるといったことがない。
【０００８】
また本発明の光学部品梱包用テープは、保持部材を収納部の内部底面側に設けようにし
た。このように構成すると、カバーテープを剥がしても、光学部品は収納部から落下した
り、或いは飛び出したりすることなく、収納部内に保持することができる。よって、カバ
ーテープを剥がした後の光学部品が収納されたキャリアテープの取り扱いが容易になると
いう利点がある。
また本発明の光学部品梱包用テープは、収納部の底面に凹陥部を形成し、前記凹陥部の
上面に前記保持部材を設けるようにした。このように構成すると、光学部品の光学領域面
が収納部の底面に接触しないので、光学部品の光学領域面にキズがついたり、或いは光学
領域面にゴミが付着したりするといったことがない。よって、光学部品の光学特性の劣化
を防止することができる。
【０００９】
また本発明の光学部品梱包用テープは、収納部の底面に傾斜面を形成し、傾斜面上に保
持部材を設けるようにした。このように構成すると、光学部品の光学領域面が収納部の底
面に接触しないので、光学部品の光学領域面にキズがついたり、光学領域面にゴミが付着
したりするといったことがない。よって光学部品の光学特性の劣化を防止することができ
る。
また本発明の光学部品梱包用テープは、保持部材として、収納部の内部底面に第１の粘
着剤を備えると共に、カバーテープに第１の粘着剤より粘着力が小さい第２の粘着剤を備
えるようにした。このように構成すると、カバーテープを剥がした場合でも、光学部品は
収納部内の保持できるので、カバーテープを剥がした後の取り扱いが容易になる。
【００１０】
また本発明の光学部品梱包用テープは、保持部材として特定の条件により剥離する接着
剤をカバーテープ側に設けるようにした。このように構成すると、カバーテープを剥がす
直前に接着剤による光学部品の固定を解除することで、光学部品の角部の破損を防ぐこと
が出来るので、破損により発生する光学部品のカケや削りくずが光学部品の光学領域面に
付着して光学特性を劣化させるといったことがない。
また本発明の光学部品梱包用テープは、光学部品の光学領域に保持部材が付着しないよ
うに光学部品の光学領域面が収納部の壁面に対して平行に収納するようにした。このよう
に構成すると保持部材により光学部品の光学領域面が汚染されるといったことがない。
また本発明の光学部品梱包用テープは、キャリアテープの収納部間にリブを設けるよう
にした。このように構成すると、梱包用テープの耐衝撃性の向上を図ることができるので
、梱包用テープの変形による光学部品の破損等を防止することができる。
【００１１】
また本発明の光学部品梱包用テープは、長手方向に光学部品を収納する収納部と平面部
とが交互に形成された第１及び第２のキャリアテープと、収納部の内部底面に設けられ、
収納部内に収納した光学部品が遊動して収納部の内壁面に接触しないように、光学部品の
非光学領域を保持する保持部材と、を備え、第１のキャリアテープの収納部を第２のキャ
リアテープの平面部により被覆し、第２のキャリアテープの収納部を第１のキャリアテー
プの平面部により被覆するようにした。このように構成すると、カバーテープが不要にな
るという利点がある。
【発明を実施するための最良の形態】
【００１２】
以下、図面を用いて本発明の光学部品梱包用テープの実施形態を詳細に説明する。
図１は、本発明の第１の実施形態に係る光学部品梱包用テープの構造を示した図であり
、（ａ）は斜視図、（ｂ）は平面図、（ｃ）は断面図である。
この図１に示す光学部品梱包用テープ１は、エンボスキャリアテープ２、カバーテープ
５、保持部材である粘着剤６とを備える。
キャリアテープ２は、例えば紙とナイロン系の合成樹脂材料にから成り、その長手方向
には、例えばＯＬＰＦ等の光学部品１０を収納する収納部３が等間隔に設けられている。
またエンボスキャリアテープ２の長手方向には、自動マウントに使用する際に用いられる
送り孔４が等間隔で形成されている。
【００１３】
カバーテープ５は、例えば塩化ビニル等の合成樹脂から成り、エンボスキャリアテープ
２の収納部３に収納した光学部品１０が収納部３から脱落しないように、例えば熱圧着等
によりエンボスキャリアテープ２上を被覆するようにしている。
粘着剤６は、例えばアクリル系ＵＶ硬化型等の粘着性を有する材料からなり、搬送時に
収納部３内に収納した光学部品１０が遊動して収納部３の内壁面に接触しないように保持
するようにしている。また、このとき、粘着剤６は光学部品１０の光学領域面１０ａを汚
染しないように光学領域面１０ａ以外の非光学領域に対向する収納部３の底面四隅に塗布
するようにしている。
【００１４】
このように本実施形態の光学部品梱包用テープ１は、長手方向に光学部品１０を収納す
る収納部３が等間隔に形成されたエンボスキャリアテープ２と、エンボスキャリアテープ
２を被覆するカバーテープ５と、収納部３内に収納した光学部品１０が遊動して収納部３
の内壁面に接触しないように、光学部品１０の非光学領域１０ａを粘着して保持する粘着
剤６とを備えるようにした。
従って、本実施形態の光学部品梱包用テープ１を用いて光学部品１０を梱包すれば光学
部品１０を自動マウンタにより搭載することが可能になる。
また光学部品梱包用テープ１においては、収納部３に収納した光学部品１０が遊動しな
いように粘着剤６により粘着して保持するようにしているので、搬送時に光学部品１０が
エンボスキャリアテープ２に接触しないようにすることができる。これにより、光学部品
１０の角部の破損を防ぐことが出来るので、破損により発生する光学部品１０のカケや削
りくずが光学部品１０の光学領域面１０ａに付着して光学特性を劣化させるという問題を
解決した。
【００１５】
さらに、粘着剤６を収納部３の内部底面側に塗布しているので、カバーテープ５を剥が
しても光学部品１０が収納部３から落下したり、或いは飛び出したりすることなく、収納
部３内に粘着して保持することができる。よって、カバーテープ５を剥がした後の光学部
品１０が収納されたエンボスキャリアテープ２の取り扱いが容易になるという利点がある
。
さらに、光学部品梱包用テープ１においては、光学部品１０の光学領域面１０ａに粘着
剤６が付着しないように、収納部３の底面四隅に粘着剤６を塗布するようにしたので、粘
着剤６により光学部品１０の光学領域面１０ａが汚染されることもない。
【００１６】
図２は、本発明の第２の実施形態に係る光学部品梱包用テープの構造を示した断面図で
ある。なお、第２の実施形態に係る光学部品梱包用テープの斜視図及び平面図は図１（ａ
）（ｂ）と同一であるので図示は省略する。また図１に示した光学部品梱包用テープ１と
同一部位には同一符号を付して詳細な説明は省略する。
この図２に示す光学部品梱包用テープ１１は、収納部３の底面に凹陥部３ａを形成し、
この凹陥部３ａの外縁部３ｃに粘着剤６を塗布した点に特徴がある。
このように構成した場合は、光学部品１０の光学領域面１０ａが収納部３の底面に接触
しないので光学部品１０の光学領域面１０ａにキズがついたり、或いは光学領域面１０ａ
にゴミが付着したりすることがない。よって、光学部品１０の光学特性の劣化を防止する
ことができる。
【００１７】
図３は、本発明の第３の実施形態に係る光学部品梱包用テープの構造を示した平面図で
ある。なお、第３の実施形態に係る光学部品梱包用テープの斜視図及び平面図は、図１（
ａ）（ｂ）と同一であるので図示は省略する。また図１に示した光学部品梱包用テープ１
と同一部位には同一符号を付して詳細な説明は省略する。
この図３に示す光学部品梱包用テープ２１は、収納部３の底面に傾斜面３ｂを形成し、
この傾斜面３ｂ上に粘着剤６を塗布するようにした点に特徴がある。
このように構成した場合も、上記同様、光学部品１０の光学領域面１０ａが収納部３の
底面に接触しないので、光学部品１０の光学領域面１０ａにキズがついたり、或いは光学
領域面１０ａにゴミが付着したりすることがない。よって、光学部品１０の光学特性の劣
化を防止することができる。
【００１８】
図４は、本発明の第４の実施形態に係る光学部品梱包用テープの構造を示した図である
。
この図に光学部品梱包用テープ３１は、光学部品１０が図４（ａ）（ｂ）示すような向
きで収納部３に収納されている。即ち、光学部品１０の光学領域面１０ａが収納部３の側
壁面に対して平行な向きで収納されている。そして光学部品１０の一方の側面を粘着して
保持するための第１の粘着剤６ａを収納部３の内部底面に塗布すると共に、第１の粘着剤
６ａより粘着力が小さい第２の粘着剤６ｂをカバーテープ５に塗布するようにした。この
ように構成した場合も、搬送時に第１及び第２の粘着剤６ａ、６ｂにより収納部３に収納
した光学部品１０が遊動しないように粘着して保持できるため、光学部品１０がエンボス
キャリアテープ２に接触することがない。従って、光学部品１０の角部の破損を防ぐこと
が出来るので、破損により発生する光学部品１０のカケや削りくずが光学領域面１０ａに
付着して光学特性が劣化するといったことがない。
【００１９】
また、第１の粘着剤６ａの粘着力を第２の粘着剤６ｂの粘着力より大きくしたことで、
図４（ｃ）に示すようにエンボスキャリアテープ２からカバーテープ５を剥離した際に、
光学部品１０がカバーテープ５に粘着して収納部３から取り出されるといったことがなく
、光学部品１０を収納部３内に粘着したまま保持することができる。
なお、図４（ｃ）においては、光学部品１０を粘着する第１の粘着剤６ａを一カ所のみ
塗布するようにしているが、図４（ｄ）に示すように第１の粘着剤６ａを２カ所に塗布し
て光学部品１０を粘着するようにしても良い。
こうすることにより粘着剤６ａ、６ｂの塗布量を同程度にすれば、粘着剤６ａ、６ｂは
同じ種類の粘着剤とすることが可能である。
一方、粘着剤６ａ、６ｂに互いに異なる種類の粘着剤を使用する場合、第１の粘着剤６
ａ、６ａ側の粘着力が第２の粘着剤６ｂの粘着力より大きくするようにすればよい。
【００２０】
図５は、本発明の第５の実施形態に係る光学部品梱包用テープの構造を示した図であり
、（ａ）は平面図、（ｂ）〜（ｄ）は断面図である。なお、第１の実施形態に係る光学部
品梱包用テープ１と同一部位には同一符号を付して詳細な説明は省略する。
この図５に示す光学部品梱包用テープ４１は、保持部材として例えば紫外線や熱などに
より接着力が低下するようなタイプの接着剤７をカバーテープ５に塗布しておき、この接
着剤７により収納部３内の光学部品１０を固定するようにしている。そしてカバーテープ
５を剥離する直前に紫外線や熱などを照射することにより接着剤７の接着力を低下させる
ことにより光学部品１０を接着剤７から剥離し易くしている。従って、このように構成し
た場合も、光学部品１０の角部の破損を防ぐことが出来るので、破損により発生する光学
部品１０のカケや削りくずが光学部品１０の光学領域面１０ａに付着して、光学部品１０
の光学特性が劣化するのを防止することができる。
【００２１】
また、この場合も光学部品１０の光学領域面１０ａに接着剤７が付着しないように、収
納部３の底面四隅に接着剤７を塗布しているので、接着剤７により光学部品１０の光学領
域面１０ａが汚染されるといったこともない。
なお、この場合は接着剤７の接着力が低下して光学部品１０が収納部３に落下すること
も考えられるので、例えば図５（ｃ）に示すように収納部３の内部底面に落下時の衝撃を
吸収するバッファ３ｄを配置したり、図５（ｄ）に示すように収納部３の内部底面に凹陥
部３ｅを設けることが好ましい。
【００２２】
図６は、本発明の第６の実施形態に係る光学部品梱包用テープの構造を示した図であり
、（ａ）は平面図、（ｂ）は断面図である。なお、図１に示す光学部品梱包用テープ１と
同一部位には同一符号を付して詳細な説明は省略する。
この図６に示す光学部品梱包用テープ５１は、エンボスキャリアテープ２の沈設する収
納部３間にリブ８を設けるようにした点に特徴がある。この場合、リブ８は、収納部３の
深さ方向にエンボスキャリアテープ２と一体で成型されている。このようにエンボスキャ
リアテープ２にリブ８を形成すると、外力に対する耐衝撃性の向上を図ることができるの
で、梱包用テープの変形による光学部品の破損等を防止することができる。
【００２３】
図７は、本発明の第７の実施形態に係る光学部品梱包用テープの構造を示した図であり
、（ａ）は斜視図、（ｂ）は平面図である。
この図７に示す光学部品梱包用テープ６１は、長手方向に光学部品１０を収納する収納
部６３ａと平面部６４ａとが交互に形成された第１のエンボスキャリアテープ６２ａと、
長手方向に光学部品１０を収納する収納部６３ｂと平面部６４ｂとが交互に形成された第
２のエンボスキャリアテープ６２ｂとからなり、第１のエンボスキャリアテープ６２ａの
収納部６３ａを第２のエンボスキャリアテープ６２ｂの平面部６４ｂにより被覆し、第２
のエンボスキャリアテープ６２ｂの収納部６３ｂを第１のエンボスキャリアテープ６２ａ
の平面部６４ａにより被覆するようにしている。そして収納部６３ａ、６３ｂの内部底面
には、収納した光学部品１０が遊動して収納部６３ａ、６３ｂの内壁面に接触しないよう
に、光学部品１０の光学領域面１０ａ以外の非光学領域を保持する保持部材として粘着剤
６５を塗布するようにしたものである。このように構成するとカバーテープが不要になる
という利点がある。
【００２４】
なお、本実施形態では、保持部材として、主に粘着剤を用いる場合を例に挙げて説明し
たが、これはあくまでも一例であり、収納部３内に収納した光学部品１０が遊動しないよ
うに保持することができ、且つ、自動マウントの際に収納部３から光学部品１０を吸着し
て取り出すことができる程度の保持力を有するものであれば適用可能である。
【図面の簡単な説明】
【００２５】
【図１】本発明の第１の実施形態に係る光学部品梱包用テープの構造を示した図。
【図２】本発明の第２の実施形態に係る光学部品梱包用テープの構造を示した図。
【図３】本発明の第３の実施形態に係る光学部品梱包用テープの構造を示した図。
【図４】本発明の第４の実施形態に係る光学部品梱包用テープの構造を示した図。
【図５】本発明の第５の実施形態に係る光学部品梱包用テープの構造を示した図。
【図６】本発明の第６の実施形態に係る光学部品梱包用テープの構造を示した図。
【図７】本発明の第７の実施形態に係る光学部品梱包用テープの構造を示した図。
【符号の説明】
【００２６】
１、１１、２１、３１、４１、５１、６１…光学部品梱包用テープ、２…エンボスキャ
リアテープ、３…収納部、３ａ…凹陥部、３ｂ…傾斜面、４…送り孔、５…カバーテープ
、６、６ａ、６ｂ…粘着剤、７…接着剤、８…リブ、１０…光学部品、１０ａ…光学領域
面、６２ａ…第１のエンボスキャリアテープ、６２ｂ…第２のエンボスキャリアテープ、
６３ａ、６３ｂ…収納部、６４ａ、６４ｂ…平面部、６５…粘着剤
【図１】
2007276843.tif 000003
【図２】
2007276843.tif 000004
【図３】
2007276843.tif 000005
【図４】
2007276843.tif 000006
【図５】
2007276843.tif 000007
【図６】
2007276843.tif 000008
【図７】
2007276843.tif 000009